(57)【要約】眼科手術において使用するための調整可能な流体フローレジスタ（１０）は、ハウジング（１２）を備える。１組の経路リストリクタ（２４）は、ハウジング（１２）内に配置され、そしてリストリクタ（２４）が協働して、入口（１６）から出口（１８）への流体フロー経路長を変動させる。従って、ある範囲の吸引フロー抵抗を外科医に提供するように調整可能な流体フローレジスタを有することが有利である。流体フローレジスタを吸引流体収集カセットに取り込んで、外科医が必要とするデバイスの数を減少させ、そしてまた抵抗の調整の自動化またはモータ化を容易に可能にさせることがさらに有利である。
2005530555.tif 000002
【特許請求の範囲】
【請求項１】
眼科手術において使用するための調整可能な流体フローレジスタカセットであって、以下：
手術用流体収集カセットの一部において形成されたハウジングであって、該ハウジングは、手術部位から吸飲流体のフローを受け取るための入口および出口を有し、該流体は、該入口から該出口に向けて流れる、ハウジング；
１組の経路リストリクタであって、該経路リストリクタは、該ハウジング内で、かつ、該入口と該出口との間に配置され、その結果、少なくとも該経路リストリクタのいくつかが協働して該入口から該出口への流体フロー経路長を変動させる、経路リストリクタを備え、
ここで、吸引流体フロー抵抗は、該入口から該出口への該経路長が長くなるにつれ増大する、
カセット。
【請求項２】
前記１組の経路リストリクタは、複数の、分散されて配置されたフィンガーであり、該フィンガーは、前記ハウジング内に蝶番で動くようにされ、その結果、該フィンガーの少なくともいくつかが、前記経路長を変動させるように一体化して移動する、請求項１に記載のカセット。
【請求項３】
前記経路リストリクタは、少なくとも２つのフィンガーを備える、請求項２に記載のカセット。
【請求項４】
前記経路リストリクタは、該経路リストリクタの少なくともいくつかの移動を生じるためのハンドルに取り付けられ、それにより、前記経路長を変動させる、請求項１に記載のカセット。
【請求項５】
前記ハンドルは、前記経路長を変動させるように、手術用コンソールのモータ付機構とともに協働する、請求項４に記載のカセット。
【請求項６】
前記経路の架橋部分は、前記カセットに接続される手術用ハンドピースの遠位末端の内径と少なくとも同じ長さであり、その結果、吸引流体が前記入口から前記出口へ自由に流れ得る、請求項１に記載のカセット。
【請求項７】
眼科手術において使用するための調整可能な流体フローレジスタカセットであって、
手術用流体収集カセットの一部によって形成されたハウジングであって、該ハウジングは、手術部位から吸飲流体のフローを受け取るための入口および出口を有し、該流体は、該入口から該出口に向けて流れる、ハウジング；
複数の、分散して配置されたフィンガーであって、該フィンガーは、該ハウジング内に蝶番で動くようにされ、その結果、該フィンガーの少なくともいくつかが、前記経路長を変動させるように一体化して移動する、フィンガー；および
ハンドルであって、該ハンドルは、該ハンドルが移動するとき該フィンガーがそのそれぞれの蝶番の周りを移動するように該フィンガーに取り付けられ、その結果該経路長が増大すると、吸引流体フロー抵抗が増大する、ハンドル、
を備える、カセット。
【請求項８】
少なくとも２つのフィンガーが存在する、請求項７に記載のカセット。
【請求項９】
前記ハンドルは、前記経路長を変動させるように、手術用コンソールのモータ付機構と協働する、請求項７に記載のカセット。
【請求項１０】
前記経路の架橋部分は、前記カセットに接続されるべき手術用ハンドピースの遠位末端の内径と少なくとも同じ長さであり、その結果、吸引流体が前記入口から前記出口へ自由に流れ得る、請求項７に記載のカセット。
【請求項１１】
眼科手術用システムであって、以下：
手術用流体収集カセット；
手術用ハンドピースを制御するためおよび該カセットを保持するための眼科手術用コンソール；
該カセットの一部において形成されたハウジングであって、該ハウジングは、手術部位から吸飲流体のフローを受け取るための入口および出口を有し、該流体は、該入口から該出口に向けて流れる、ハウジング；
１組の経路リストリクタであって、該経路リストリクタは、該ハウジング内で、かつ、該入口と該出口との間に配置され、その結果、少なくとも該経路リストリクタのいくつかが協働して該入口から該出口への流体フロー経路長を変動させる、経路リストリクタ；
該リストリクタの少なくともいくつかの移動を生じさせ、その結果、該経路長を変動させるための該１組の経路リストリクタに取り付けられたハンドル；および
該手術用コンソールのモータ付機構であって、該機構は、該ハンドルに連結されて該ハンドルを移動させることにより該経路長を変動させる、機構、
を備える、システム。
【請求項１２】
前記１組の経路リストリクタは、複数の、分散して配置されたフィンガーであり、該フィンガーは、該ハウジング内に蝶番で動くように配置され、その結果、該フィンガーの少なくともいくつかが、一体化して該経路長を変動させる、請求項１１に記載のシステム。
【請求項１３】
前記経路リストリクタは、少なくとも２つのフィンガーを備える、請求項１１に記載のシステム。
【請求項１４】
前記経路の架橋部分は、前記カセットに接続される手術用ハンドピースの遠位末端の内径と少なくとも同じ長さであり、その結果、吸引流体が前記入口から前記出口へ自由に流れ得る、請求項１１に記載のシステム。
【発明の詳細な説明】
【技術分野】
【０００１】
（発明の背景）
発明の分野）
本発明は、手術の間、特に眼科手術の間の吸引の流れを制限するためのデバイスに関する。特に、本発明は、ある範囲の吸引フロー抵抗を提供し、そして手術流体収集カセットに組み込まれるように調整可能なデバイスに関する。
【背景技術】
【０００２】
（２．関連技術の説明）
眼の手術の間、特に、白内障の手術の間、外科医は、患者の目において使用される減圧または吸引の量と外科医が手術の間に生じ得る事象に応答すべき時間の長さとの間の緊張を経験する。外科医は、代表的に、白内障については、より高い保持力を提供するためにより高い減圧レベルを好む。しかし、これらのより高い減圧レベルは、閉塞のような事象が吸引ラインにおいて生じるとき、外科医による迅速な応答時間を必要とすることを生じる。減圧レベルがより高くなるにつれ、事象がより迅速に生じ、従って、重篤な問題（例えば、水晶体嚢バッグ（ｃａｐｓｕｌａｒ  ｂａｇ）の破損）についての可能性が増大する。
【０００３】
より高い減圧レベル（すなわち、より高い保持力）を、より遅い応答時間で外科医に用いさせるための吸引流体フローに対する抵抗を増大させるためのデバイスが知られている。これらのデバイスは、より高い減圧レベルの利益を外科医が有するように援助し、他方、吸引フローに対する抵抗なしに可能な時間よりも、外科事象に対する応答のためのより長い時間を外科医に提供するリスクを制限または最小化する。コイルチューブは、フロー抵抗を増大する１つの例である。増大した抵抗は、一連のコイルベンドを通して流体を通過させることによって達成されることが確認された。なぜなら、流体がベンドを通過して流れるときの圧力の下で落下するからである。しかし、コイルチューブの裏側は、コイル内の吸引目詰まりの機会が、楕円形の架橋部分およびチューブにおいて生じ得る曲がったねじれに起因して増大することである。さらに、コイルチューブの抵抗は、コイルの半径の関数であり、そしてその抵抗は、手術の間に変動し得ない。
【０００４】
吸引フローに対する抵抗を増大する別のデバイスは、ゴミを収集する目詰まりのないオリフィスであり、そして一般的に水晶体ガード（ｐｈａｃｏ−ｇｕａｒｄ）と呼ばれる。水晶体ガードは、小さなオリフィスの下に漏斗が取り付けられた大きな断面積のフィルターである。これは、フィルターの目詰まりを制限することを可能にする。これは、フィルター領域の全体が目詰まりしないという仮定に基づく。フィルターは、なお、目詰まりし得、そして調整可能ではない。
【発明の開示】
【発明が解決しようとする課題】
【０００５】
従って、ある範囲の吸引フロー抵抗を外科医に提供するように調整可能な流体フローレジスタを有することが有利である。
【０００６】
流体フローレジスタを吸引流体収集カセットに取り込んで、外科医が必要とするデバイスの数を減少させ、そしてまた抵抗の調整の自動化またはモータ化を容易に可能にさせることがさらに有利である。
【発明を実施するための最良の形態】
【０００７】
（好ましい実施形態の詳細な説明）
眼科手術によって使用される調整可能な流体フローレジスタカセット１０は図１に示される。ハウジング１２は、手術用流体収集カセット１４の一部内にまたはそれによって形成される。ハウジング１２は、手術部位から吸引流体のフローを受け取るための入口１６および出口１８を有する。ここで、流体は入口１６から出口１８へのライン２０に沿って流れる。吸引流体は、代表的に、眼の手術の間に取り除かれた白内障材料２２のような組織の片を含む。１組の経路リストリクタ２４は、入口１６と出口１８との間で、ハウジング１２の間に配置され、その結果、経路リストリクタ２４は、ライン２０によって示される、入口１６から出口１８までの流体フロー経路長を変動させるように協働する。吸引流体フロー抵抗は、入口１６から出口１８へ経路長２０が増大するにつれ、増大する。カセット１０は、好ましくは、そうでなければ先行技術において見いだされるカセットと同じであり、例えば、ＭｉｌｌｅｎｎｉｕｍＴＭ  Ｓｕｒｇｉｃａｌ  Ｓｙｓｔｅｍにおいて使用するためにＢａｕｓｃｈ  ＆  Ｌｏｍｂ  Ｉｎｃｏｒｐｏｒａｔｅｄから入手可能なものがある。
【０００８】
１組の経路リストリクタ２４は、好ましくは、複数の、分散されて配置されたフィンガーである。このフィンガーは、ハウジング１２内の２６において蝶番で動くようにされており、その結果、フィンガーが経路長を変動させるように一体化して移動する。リストリクタ２４は、好ましくは、スロット２８を備える。このスロットは、リストリクタ２４のための回転経路を規定するピン３０を備える。好ましくは、経路リストリクタは、少なくとも２つのフィンガーを備え、好ましくは、図１に示されるように６つフィンガーを備える。
【０００９】
明らかに、分散されて配置されるフィンガーが多くなるほど、達成可能な経路長はより長くなり、従って、達成可能な吸引流体フロー抵抗は、より大きくなる。
【００１０】
好ましくは、経路リストリクタ２４は、ハンドル３２に取り付けられる。このハンドルは、経路リストリクタ２４の移動を生じさせ、それにより、経路長を変動させる。好ましくは、ハンドル３２は、３４に示されるような構造を備え、以下に記載されるような手術コンソールのモータ付機構とともに協働して、経路長を変動させる。ハンドル３２はまた、矢印３６によって示されるように、ハンドル３２を移動させることによって、使用者によって手動で移動され得る。
【００１１】
明らかに、ライン２０によって規定される経路の架橋部分は、カセットに接続されるべき手術用ハンドピースの遠位末端の内径と少なくとも同じ長さであり、その結果、吸引流体が入口１６から出口１８へ自由に、目詰まり無く流れ得る。経路リストリクタが、乱流（ｔｕｒｂｕｌｅｎｔ）流体フローを生じさせる経路を形成することが好ましい。乱流は、層流よりも高い抵抗を有することが知られているからである。
【００１２】
図２は、図１に示される最大抵抗の位置とは反対に最小限の抵抗の位置におけるカセット１０を開示する。作動中は、複数の、分散されて配置されたフィンガー２４は、ハウジング内１２において一体化されて蝶番で動くように配置され、入口１６から出口１８への流体経路長を変動させる。フィンガーまたはリストリクタ２４に取り付けられたハンドル３２は、それぞれの蝶番の周りを移動して、その結果、経路長が増大するにつれ、吸引流体フロー抵抗が増大する。吸引フロー経路は、ライン３８において最小に示される。図３において示されている眼科手術システム４０は、モータ付機構４２と連結されたハンドル３２とともにカセット１４を備える。このモータ付機構は、矢印４６の方向にアーム４４を移動させてハンドル３２を移動させることによって、経路長を変動させる。手術コンソール５０内の吸引チューブ４８に接続されたカセット１４は、矢印５２の無機にハンドピース５４から吸引物を流れさせ、これが、眼５６における外科手術を実行させる。当該分野において周知であるように、洗浄流体５８がチューブ６０を通じて眼に供給される。
【００１３】
カセットに組み込まれる調整可能な流体フローレジスタの特定の実施形態が示されそして記載されてきたが、他の実施形態の調整可能な流体フローレジスタが、本発明の範囲から逸脱することなくカセットに組み込まれ得ることが理解される。特に、流体フローレジスタは、同時係属中の特許出願「Ａｄｊｕｓｔａｂｌｅ  Ｆｌｕｉｄ  Ｆｌｏｗ  Ｒｅｓｉｓｔｏｒ」（出願番号（指定される予定）、およびこれは本明細書において参考として援用される）に記載されるものに類似の構造のレジスターを備え得る。
【図面の簡単な説明】
【００１４】
【図１】図１は、最大のフロー抵抗の部分において示される、本発明にしたがうカセットの部分的な切断平面図である。
【図２】図２は、最も少ないフロー抵抗の部分において示される、本発明に従うカセットの部分的な切断平面図である。
【図３】図３は、眼科手術の間に使用される、本発明に従うカセットの図である。
【図１】
2005530555.tif 000003
【図２】
2005530555.tif 000004
【図３】
2005530555.tif 000005
【国際調査報告】
2005530555.tif 000006
2005530555.tif 000007
2005530555.tif 000008